(57)【要約】【課題】表示面に向けて膨出する透明パネルを、製造コストの増大を抑えつつ、表示面に対して適切に近接配置可能な遊技機を提供する。【解決手段】フラットパネルディスプレイからなる表示器８ａの表示面１４ａを第１の凹凸パネル１０ａで覆い、該第１の凹凸パネル１０ａの、前記表示面１４ａを覆う部分に、表示面側に膨出して正面側に凹む膨出部４０を形成して、膨出部４０の頂部４４を前記表示面１４ａに近接させる。そして、前記表示面１４ａと第１の凹凸パネル１０ａとの間に、第１の凹凸パネル１０ａよりも撓み難い、平板からなる第２の平板パネル１０ｂを前記表示面１４ａと略平行に配置して前記表示面１４ａの周囲で保持し、前記膨出部４０が表示面側に押圧されたときに、第２の平板パネル１０ｂによって膨出部４０が支持されるよう構成する。【選択図】図１６
2020025737.tif 000002
【特許請求の範囲】
【請求項１】
フラットパネルディスプレイからなり、表示面を遊技者と略正対させるように配置された第１の表示器と、前記表示面を覆い、前記表示面の周囲で保持される第１の透明パネルとを備え、
前記第１の透明パネルの前記表示面を覆う部分には、前記表示面側に膨出して正面側に凹む膨出部が形成されて、前記膨出部の頂部が前記表示面に近接しており、
前記表示面と前記第１の透明パネルとの間に、平板からなる第２の透明パネルが、前記表示面と略平行に配置されて、前記表示面の周囲で保持されており、
前記第２の透明パネルは、前記第１の透明パネルよりも撓み難く、
前記膨出部が前記表示面側に押圧されたときに、前記第２の透明パネルによって前記膨出部が支持されるよう構成されていることを特徴とする遊技機。
【請求項２】
前記第２の透明パネルは、前記第１の透明パネルよりも弾性率の高い材料からなることを特徴とする請求項１に記載の遊技機。
【請求項３】
前記膨出部は、前記表示面に向かってドーム状又はアーチ状に膨出する湾曲形状をなしており、
前記膨出部の外周部を覆うことにより、前記膨出部を透して第１の表示器の表示面を視認可能な主表示領域を形成する枠体を備えることを特徴とする請求項１又は請求項２に記載の遊技機。
【請求項４】
前記主表示領域の左右両側に夫々配置されて、前記主表示領域の両側から外側前方に延出する左右一対の副表示領域を形成する第２の表示器及び第３の表示器を備えることを特徴とする請求項３に記載の遊技機。
【請求項５】
前記第１の透明パネルと前記第２の透明パネルの隙間に対して、当該隙間の周囲から光を照射可能な照明装置を備えることを特徴とする請求項１乃至請求項４のいずれか１項に記載の遊技機。
【発明の詳細な説明】
【技術分野】
【０００１】
本発明は、フラットパネルディスプレイからなる表示器を備える遊技機に関する。
【背景技術】
【０００２】
スロットマシン等の遊技機の正面には、液晶ディスプレイ等の表示器が配設される。こうした表示器は遊技者の手が届く位置に配設されるため、興奮した遊技者に押されたり、叩かれたりして破損しないように、表示面を透明パネルで覆って保護している。また、こうした透明パネルに凹凸を設けて意匠性を付与した遊技機も提案されている（例えば、特許文献１）。
【先行技術文献】
【特許文献】
【０００３】
【特許文献１】特開２００７−２６７９７０号公報
【発明の概要】
【発明が解決しようとする課題】
【０００４】
ところで、表示面を覆う上記透明パネルに対して、表示面側に膨出する膨出部を形成した場合には、遊技者は、膨出部を透して表示器の表示画像を視認することとなるため、平坦な表示面に表示される画像に奥行感を付与することが可能となる。ここで、表示画像に奥行感を付与するためには、膨出部を表示面側に大きく膨出させることが望ましいが、スロットマシン等の遊技機では、表示面の前方のスペースが限られているため、表示面の前方で膨出部を大きく膨出させるためには、膨出部の頂部を表示面に近接させなくてはならない。
【０００５】
しかしながら、透明パネルは、表示面の周囲で保持されており、表示面を覆う部位は直接保持されていないため、膨出部の頂部を表示器の表示面に近接配置した場合には、遊技者が透明パネルを押したり、叩いたりした際に、表示面側に撓んだ膨出部によって表示面が押圧されて破損するおそれがある。
【０００６】
かかる問題に対して、弾性率の高い材料を用いたり、肉厚にしたりして、透明パネルを撓み難くすることが提案されるが、強化ガラス等の高弾性率の材料からなる板材は膨出部を成形する手間が大きく、製造コストが増大してしまう。また、透明パネルが過度に肉厚になると、表示器の表示画像を透かし見たときに膨出部が不自然に視認されて、表示画像の奥行感が損なわれてしまう。
【０００７】
本発明は、かかる現状に鑑みて為されたものであり、表示面に向けて膨出する透明パネルを、製造コストの増大を抑えつつ、表示面に対して適切に近接配置することのできる遊技機の提供を目的とする。
【課題を解決するための手段】
【０００８】
本発明は、フラットパネルディスプレイからなり、表示面を遊技者と略正対させるように配置された第１の表示器と、前記表示面を覆い、前記表示面の周囲で保持される第１の透明パネルとを備え、前記第１の透明パネルの前記表示面を覆う部分には、前記表示面側に膨出して正面側に凹む膨出部が形成されて、前記膨出部の頂部が前記表示面に近接しており、前記表示面と前記第１の透明パネルとの間に、平板からなる第２の透明パネルが、前記表示面と略平行に配置されて、前記表示面の周囲で保持されており、前記第２の透明パネルは、前記第１の透明パネルよりも撓み難く、前記膨出部が前記表示面側に押圧されたときに、前記第２の透明パネルによって前記膨出部が支持されるよう構成されていることを特徴とする遊技機である。
【０００９】
かかる構成では、第１の透明パネルの膨出部は、撓み難い第２の透明パネルに支持されるため、膨出部が第１の表示器の表示面に近接配置されていても、撓んだ第１の透明パネルによって第１の表示器の表示面が押圧されて破損することがない。また、かかる構成では、第１の透明パネルの撓みを、第２の透明パネルで支持するため、第１の透明パネルを弾性率の高い材料で構成したり、肉厚にしたりして撓み難くする必要はない。一方で、第１の透明パネルを支持する第２の透明パネルは成形容易な平板であるため、高弾性率の材料で構成しても製造コストは増大しない。したがって、本発明によれば、膨出部を具備する第１の透明パネルを、製造コストを増大させず、かつ、肉厚にすることもなく、第１の表示器の表示面に近接配置して、第１の表示器の表示画像に奥行感を付与できる。また、本発明にあっては、膨出部の表示面側への撓みを、第２の透明パネルで支持するため、膨出部の変形を極力抑えることで、第１の透明パネルを長持ちさせることも可能となる。
【００１０】
本発明にあっては、前記第２の透明パネルは、前記第１の透明パネルよりも弾性率の高い材料からなることが提案される。
【００１１】
第２の透明パネルを弾性率の高い材料で構成すれば、所要の撓み難さの透明パネルを薄く製造できる。このため、かかる構成では、第２の透明パネルの厚みを薄くすることで、膨出部を配置するスペースを表示面の前方に広く確保して、第１の表示器の表示画像の奥行感を増大させることが可能となる。
【００１２】
また、本発明にあっては、前記膨出部は、前記表示面に向かってドーム状又はアーチ状に膨出する湾曲形状をなしており、前記膨出部の外周部を覆うことにより、前記膨出部を透して第１の表示器の表示面を視認可能な主表示領域を形成する枠体を備えることが提案される。
【００１３】
かかる構成では、第１の表示器の表示画像が、ドーム状又はアーチ状に湾曲する膨出部の湾曲面に表示されているかのように遊技者に知覚させることができるため、第１の表示器の表示画像の臨場感を向上させることができる。
【００１４】
上記構成にあって、さらに、前記主表示領域の左右両側に夫々配置されて、前記主表示領域の両側から外側前方に延出する左右一対の副表示領域を形成する第２の表示器及び第３の表示器を備えることが提案される。
【００１５】
かかる構成では、中央の主表示領域に対して、両側の副表示領域は斜め前方に傾斜することとなるが、主表示領域の正面側は、膨出部が中央で凹んでいる分だけ、両側が前方に迫り出しているため、主表示領域と副表示領域が両者の境界部分でなす角度は、第１の表示器と第２の表示器の表示面同士がなす角度よりも小さくなる。このため、かかる構成によれば、第１の透明パネルによって、主表示領域と副表示領域の一体性を高めて、複数の表示領域に亘って表示する演出画像の臨場感を向上させることができる。
【００１６】
また、本発明にあっては、前記第１の透明パネルと前記第２の透明パネルの隙間に対して、当該隙間の周囲から光を照射可能な照明装置を備えることが提案される。
【００１７】
かかる構成によれば、第１の透明パネルと第２の透明パネルの隙間に照射された照射光が、第１の透明パネルの裏側で反射・散乱することで、遊技者に対して、膨出部の凹凸形状を強調して視覚効果を高めることが可能となる。
【図面の簡単な説明】
【００１８】
【図１】スロットマシン１の斜視図である。
【図２】上部扉ユニット１５を分離して示す前扉３の斜視図である。
【図３】上部扉ユニット１５の正面図である。
【図４】上部扉ユニット１５の平面図である。
【図５】固定板部１７から液晶表示ユニット１９を分離して示す分解斜視図である。
【図６】固定板部１７の分解斜視図である。
【図７】固定板部１７の正面図である。
【図８】固定板部１７の背面図である。
【図９】ランプユニット３２ａ，３２ｂの分解斜視図である。
【図１０】凹凸パネル１０ａを正面側（ａ）と背面側（ｂ）から見た斜視図である。
【図１１】凹凸パネル１０ａの背面図である。
【図１２】図１１中のＡ−Ａ線断面図である。
【図１３】図１１中のＢ−Ｂ線断面図である。
【図１４】左側の回動板部１８の分解斜視図である。
【図１５】凹凸パネル１０ａ、平板パネル１０ｂ，中央表示器８ａ等の配置関係を示す分解斜視図である。
【図１６】図１１中のＡ−Ａ線の高さにおける凹凸パネル１０ａ、平板パネル１０ｂ，中央表示器８ａの配置を示す端面図である。
【図１７】図１６中のＣ−Ｃ線における凹凸パネル１０ａ、平板パネル１０ｂ，中央表示器８ａの配置を示す端面図である。
【図１８】回動板部１８の定常位置Ｐにおける中央表示器８ａと側方表示器８ｂの配置を示す平面図である。
【図１９】回動板部１８の定常位置Ｐにおける各表示器８ａ，８ｂと各パネル１０ａ〜１０ｃの配置を示す平面図である。
【発明を実施するための形態】
【００１９】
本発明をスロットマシンに適用した実施形態を、以下の実施例に従って説明する。
なお、下記実施例にあって、本発明に係る第１の表示器は中央表示器８ａに相当し、第１の透明パネルは凹凸パネル１０ａに相当し、第２の透明パネルは平板パネル１０ｂに相当する。そして、本発明に係る膨出部は凹凸パネル１０ａの遮蔽部４０に相当する。また、本発明に係る第２の表示器及び第３の表示器は、左右の側方表示器８ｂ，８ｂに相当する。また、本発明に係る主表示領域は中央表示領域１６ａに相当し、副表示領域は側方表示領域１６ｂに相当する。また、本発明に係る枠体は上部装飾枠２７に相当する。また、本発明に係る照明装置はランプユニット３２ａ，３２ｂに相当する。また、以下の説明において、スロットマシン１の「正面方向」、「正面側」とは、スロットマシン１の「手前方向」、「手前側」であり、スロットマシン１の「左側」、「右側」とは、スロットマシン１を手前側から見た場合の「左側」、「右側」である。
【００２０】
図１は、本実施例のスロットマシン１の斜視図である。かかるスロットマシン１の遊技機本体は、正面側が開放された筐体２と、該筐体２の正面側全体を覆う開閉可能な前扉３とによって構成される。前扉３の正面側には、遊技操作に用いるベットスイッチ５、スタートスイッチ６、ストップスイッチ７ａ〜７ｃ等の各種スイッチが配設される。前扉３の正面中央部には、筐体２の内部に配設されたリール（図示省略）を視認可能とする透明な表示窓４が形成される。そして、前扉３の正面側上部には、３つの表示器８ａ，８ｂが配設される。各表示器８ａ，８ｂは、表示面１４ａを遊技者に正対させるよう正面に向けて配設される中央表示器８ａと、中央表示器８ａの左右両側に、表示面１４ｂを内側に傾けて配設される一対の側方表示器８ｂとで構成される。各表示器８ａ，８ｂは、液晶フラットパネルディスプレイであり、後述するように、各表示器８ａ，８ｂの表示面１４ａ，１４ｂは、透明なパネル１０ａ〜１０ｃで覆われている。
【００２１】
図２に示すように、前扉３は、前扉３の骨格を構成する前扉フレーム１３を備え、該前扉フレーム１３の上部には、上部扉ユニット１５が正面側から固定される。上述した３つの表示器８ａ，８ｂは、上部扉ユニット１５に配設されている。上部扉ユニット１５は、図２〜図４に示すように、前扉フレーム１３に固定される固定板部１７と、該固定板部１７の左右両側に、水平回動可能に軸支される一対の回動板部１８と、固定板部１７の背面側に装着される液晶表示ユニット１９とで構成される。３つの表示器８ａ，８ｂのうち、中央表示器８ａは液晶表示ユニット１９に配設されて、その表示面１４ａを固定板部１７の正面側から視認可能となっている。一方、２つの側方表示器８ｂは、左右の回動板部１８に１つずつ配設されて、中央表示器８ａの両側で表示面１４ｂを水平回動可能となっている。左右の回動板部１８は、通常は、固定板部１７の外側前方に所定角度で延出する定常位置Ｐに保持される。かかる定常位置Ｐでは、回動板部１８は、筐体２の外側に突出して、筐体２に隣接するメダルサンドを覆うこととなるが、遊技者は、回動板部１８を定常位置Ｐから筐体２の内側前方に回動させることで、回動板部１８に邪魔されることなく、メダルサンドを使用できる。
【００２２】
図５に示すように、液晶表示ユニット１９は、基板ケース２３と、板状樹脂部材からなる液晶ベース２４と、中央表示器８ａと、矩形枠状の取付ベース２５と、透明な矩形板状の平板パネル１０ｂとを、前後方向に組み付けて一体化したものである。基板ケース２３は、液晶ベース２４の背面側に螺着される。基板ケース２３の内部には、中央表示器８ａや側方表示器８ｂを制御する表示制御基板や、サブ基板との中継基板、外部出力用の基板等が収容されている。中央表示器８ａは、横長矩形状の平坦な表示面１４ａを具備する液晶表示モジュールであり、表示面１４ａを正面に向けた姿勢で液晶ベース２４の正面側に螺着される。取付ベース２５は、中央表示器８ａの表示面１４ａと略同じ大きさの開口部を有する枠体であり、中央表示器８ａの正面外周縁に当接した状態で、液晶ベース２４の正面に螺着される。なお、液晶表示ユニット１９は、かかる取付ベース２５を介して固定板部１７に螺着される。平板パネル１０ｂは無色透明の強化ガラスからなる平板であり、表示面１４ａの周囲で取付ベース２５の正面側に係止されることにより、中央表示器８ａの表示面１４ａとの間に数ミリの空隙を挟んで平行に配置されて、中央表示器８ａの表示面１４ａの全体を覆っている。
【００２３】
固定板部１７は、図６〜８に示すように、前扉フレーム１３に螺着される上部装飾枠２７を主体とする。上部装飾枠２７は、前扉３の正面上部を装飾する横長矩形枠状の樹脂製枠体である。上部装飾枠２７の中央部には略矩形状の開口部２８が形成されており、図３に示すように、この開口部２８により、背面側の中央表示器８ａの表示面１４ａを正面側から視認可能とする中央表示領域１６ａが形成される。開口部２８は、中央表示器８ａの表示面１４ａよりも一回り小さい略矩形状をなしており、中央表示器８ａの表示面１４ａの外周部は上部装飾枠２７によって覆われている。また、中央表示領域１６ａは、上辺と下辺の中央部が内側に凹む弧状に湾曲しており、これにより、中央表示器８ａの表示画像に奥行感を付与している。そして、上部装飾枠２７の背面側には、透明な凹凸パネル１０ａが装着される。凹凸パネル１０ａは開口部２８を閉塞する遮蔽部４０を備えており、中央表示器８ａの表示面１４ａは、中央表示領域１６ａにおいて遮蔽部４０に覆われている。すなわち、中央表示領域１６ａにあっては、遊技者は、中央表示器８ａの表示面１４ａに表示される画像を、遮蔽部４０を透して視認することとなる。
【００２４】
図７に示すように、上部装飾枠２７の正面側には、開口部２８の両側に、左右の回動板部１８を軸支する軸支部２９が配設される。軸支部２９には、回動板部１８を定常位置Ｐに付勢するコイルばね（図示省略）が配設される。また、上部装飾枠２７の上部中央には、スピーカグリル３９が配設され、該スピーカグリル３９の背面側にスピーカ３８が配設される。
【００２５】
また、図６，８に示すように、上部装飾枠２７の背面側には、開口部２８の上方と下方にランプユニット３２ａ，３２ｂが配設される。図９に示すように、各ランプユニット３２ａ，３２ｂは、正面側と背面側にＬＥＤが実装されたランプ基板３４ａ，３４ｂと、各ランプ基板３４ａ，３４ｂの背面側のＬＥＤを覆うように配設される導光レンズ３５ａ，３５ｂと、各ランプ基板３４ａ，３４ｂ及び導光レンズ３５ａ，３５ｂを背面側から覆う基板カバー３６ａ，３６ｂとで構成される。図７に示すように、上部装飾枠２７の正面側には、開口部２８の上方と下方にアーチ形状のランプレンズ３３ａ，３３ｂが組み付けられており、各ランプ基板３４ａ，３４ｂの正面側のＬＥＤの光は、各ランプレンズ３３ａ，３３ｂを透して前扉３の前方に照射される。一方、各ランプ基板３４ａ，３４ｂの背面側のＬＥＤの光は、背面側に配設された導光レンズ３５ａ，３５ｂを発光させる。図８に示すように、導光レンズ３５ａ，３５ｂは、上部装飾枠２７の開口部２８の上縁と下縁に配置されており、開口部２８の上縁と下縁から光を照射する。
【００２６】
図１０〜１３に示すように、凹凸パネル１０ａは正面視略矩形状をなす板状部材であり、無色透明のポリカーボネートからなる射出成形品である。凹凸パネル１０ａは、上部装飾枠２７の開口部２８を閉塞する遮蔽部４０と、遮蔽部４０の外周縁に形成される側壁部４１と、遮蔽部４０の上下両縁に沿って形成されるレンズ嵌合部４２と、遮蔽部４０の左右両縁から両側に延出する鍔部４３とで構成される。
【００２７】
図１０〜１３に示すように、遮蔽部４０は、正面視略矩形状をなす略等厚な板状部であり、図８に示すように、上部装飾枠２７の開口部２８に背面側から嵌合して該開口部２８を閉塞する。そして、遮蔽部４０は、図１２に示すように、水平断面において、中央部が表示面１４ａに向かってアーチ状に膨出して、正面側に凹む湾曲形状をなしている。かかる遮蔽部４０によれば、遊技者が中央表示器８ａの表示画像を、遮蔽部４０を透して視認した時に、当該表示画像が遮蔽部４０の湾曲面に表示されているかのように知覚させることができるため、平坦な表示面１４ａに表示される表示画像に奥行感を付与して、臨場感を向上させることが可能となる。
【００２８】
図８に示すように、凹凸パネル１０ａの鍔部４３は、遮蔽部４０を開口部２８に嵌合した状態で、開口部２８の左右両縁に背面側から被着しており、かかる鍔部４３を上部装飾枠２７に螺着することにより、凹凸パネル１０ａが上部装飾枠２７に対して固定される。また、図８に示すように、側壁部４１は、凹凸パネル１０ａを上部装飾枠２７に固定した状態で、開口部２８の内周縁に沿って前方に延出して、遮蔽部４０の外周縁を鍔部４３より正面側で支持する。また、側壁部４１の背面と、鍔部４３の背面とは、同一平面状に形成されており、固定板部１７に液晶表示ユニット１９を装着した状態で、これらの背面に平板パネル１０ｂの外周部が被着するよう構成される（図１６参照）。なお、遮蔽部４０は、左右方向の中心にあたる部位が最も背面側に膨出する頂部４４となっているが、かかる頂部４４は、側壁部４１や鍔部４３の背面よりも僅かに正面側に位置しており、常態では、平板パネル１０ｂと当接しない。
【００２９】
図１１，１３に示すように、凹凸パネル１０ａのレンズ嵌合部４２は、遮蔽部４０の上下縁に沿って形成された、背面側に開口する溝孔である。図８に示すように、かかるレンズ嵌合部４２に、ランプユニット３２ａ，３２ｂの導光レンズ３５ａ，３５ｂが内嵌して、レンズ嵌合部４２の内部で導光レンズ３５ａ，３５ｂが発光するよう構成されている。
【００３０】
側方表示器８ｂは、縦長矩形状の平坦な表示面１４ｂを具備する液晶表示モジュールである。図３，１４に示すように、回動板部１８には、側方表示器８ｂの表示面１４ｂを平板パネル１０ｃで覆い、さらに、前面カバー５１によって当該表示面１４ｂの外周部を覆うことによって、前面カバー５１の開口部５３の形状をなす側方表示領域１６ｂが形成される。図３に示すように、左右の側方表示領域１６ｂは、回動板部１８の定常位置Ｐにおいて、中央表示領域１６ａの左右両側から外側前方に延出しており、本実施例では、中央表示領域１６ａと、両側の側方表示領域１６ｂとに一体的な画像を表示することによって、奥行感に富んだ画像を表示できる。特に、側方表示領域１６ｂの形状は、手前側ほど上下幅が広がる略台形状をなしているため、側方表示領域１６ｂが実際よりも前方に延出しているように遊技者に知覚させて、奥行感を向上させることができる。
【００３１】
以下に、本発明の要部に係る構成について説明する。
本実施例では、図１５〜１７に示すように、中央表示器８ａの表示面１４ａを覆うように凹凸パネル１０ａが配設されて、中央表示器８ａの表示画像が、凹凸パネル１０ａの遮蔽部４０を透して奥行感のある画像として視認されるよう構成される。ここで、凹凸パネル１０ａの遮蔽部４０は中央部が表示面側（背面側）に膨出する形状をなしているが、図５，６に示すように、遮蔽部４０を上部装飾枠２７の開口部２８に配置した状態にあって、遮蔽部４０の両側部を上部装飾枠２７の前方に突出させることは設計上問題がある。このため、本実施例では、遮蔽部４０の頂部４４を表示面１４ａに近接配置することで、遮蔽部４０を表示面側に膨出させるスペースをできるだけ確保している。そして、本実施例では、凹凸パネル１０ａの遮蔽部４０を表示面１４ａに近接配置する一方で、撓んだ凹凸パネル１０ａが表示面１４ａと当接することのないように、凹凸パネル１０ａと表示面１４ａとの間に平板パネル１０ｂを配置している。
【００３２】
図１６，１７に示すように、平板パネル１０ｂは、凹凸パネル１０ａの遮蔽部４０の周囲で、側壁部４１及び鍔部４３の背面側に被着するように配置される。凹凸パネル１０ａの遮蔽部４０は、側壁部４１や鍔部４３の背面よりも正面側に位置しているため、常態では遮蔽部４０の全域と平板パネル１０ｂとの間に隙間４８が形成される。なお、本実施例では、遮蔽部４０の頂部４４は、平板パネル１０ｂとの摩擦による損傷を防ぐために、平板パネル１０ｂと当接させていないが、図１６に示すように、平板パネル１０ｂに極めて近接した位置に配置することにより、表示面１４ａに近接させている。
【００３３】
一方、図１５〜１７に示すように、中央表示器８ａと平板パネル１０ｂとの間には、外周部に取付ベース２５が配置され、平板パネル１０ｂは表示面１４ａの周囲で取付ベース２５に係止されており、平板パネル１０ｂは、中央表示器８ａの表示面１４ａに対して、数ミリの空隙４７を挟んで平行に配置される。
【００３４】
本実施例にあっては、図６に示すように、凹凸パネル１０ａは、中央表示器８ａの表示面１４ａの周囲で上部装飾枠２７に保持されており、表示面１４ａの中央部では保持されていないため、凹凸パネル１０ａの遮蔽部４０が遊技者によって押されたり、叩かれたりした場合には、凹凸パネル１０ａが表示面側（背面側）に撓んで、遮蔽部４０の頂部４４が平板パネル１０ｂを表示面側に押圧することとなる。
【００３５】
ここで、凹凸パネル１０ａは、比較的弾性率の低い材料（ポリカーボネート）で形成されているため撓み易いが、平板パネル１０ｂは、凹凸パネル１０ａよりもわずかに薄いものの、比較的弾性率の高い材料（強化ガラス）で形成されており、凹凸パネル１０ａよりも極めて撓み難くなっている。このため、遮蔽部４０の頂部４４に押圧されても、平板パネル１０ｂは殆ど撓まずに、撓んだ遮蔽部４０を支持する。また、平板パネル１０ｂと表示面１４ａの間の空隙４７は数ミリ程度であるが、遮蔽部４０の頂部４４に押圧された際の平板パネル１０ｂの撓み量は当該空隙４７の間隔よりも十分に小さいため、平板パネル１０ｂが遮蔽部４０の頂部４４に押圧されても、平板パネル１０ｂによって中央表示器８ａの表示面１４ａが押圧されることはない。
【００３６】
このように、本実施例では、遮蔽部４０を膨出させるために、遮蔽部４０の頂部４４を表示面１４ａに近接配置しているため、平板パネル１０ｂがなければ、凹凸パネル１０ａが撓んだ際に、遮蔽部４０の頂部４４が表示面１４ａを押圧して中央表示器８ａが破損するおそれがあるが、凹凸パネル１０ａが撓んだ際に、撓み難い平板パネル１０ｂが凹凸パネル１０ａの遮蔽部４０を背面側から支持するため、中央表示器８ａの破損を確実に防止できる。したがって、本実施例では、中央表示器８ａの破損を懸念することなく、表示面１４ａに対して遮蔽部４０を適切に近接配置して、表示面１４ａの前方の限られたスペースにおいて、遮蔽部４０をできるだけ大きく膨出させることが可能となる。また、本実施例のように、凹凸パネル１０ａの撓みを平板パネル１０ｂで支持すれば、凹凸パネル１０ａを撓み難くする必要がないため、凹凸パネル１０ａを弾性率の高い材料で構成したり、肉厚にしたりしなくてもよい。一方で、平板パネル１０ｂは成形容易であるため、比較的低コストで撓み難いものを製造できる。したがって、本実施例では、製造コストを増大させたり、凹凸パネル１０ａを肉厚にしたりすることなく、凹凸パネル１０ａの遮蔽部４０を、中央表示器８ａの表示面１４ａに対して適切に近接配置して、中央表示器８ａの表示画像に奥行感を付与できる。
【００３７】
また、本実施例では、凹凸パネル１０ａの表示面側への撓みを、撓み難い平板パネル１０ｂで支持するため、撓みやすい凹凸パネル１０ａの塑性変形を抑えて長持ちさせることもできる。
【００３８】
特に、本実施例では、平板パネル１０ｂが、弾性率の高い硬質ガラスからなるため、凹凸パネル１０ａを適切に支持可能な平板パネル１０ｂを、凹凸パネル１０ａよりも薄く製造でき、これにより、表示面１４ａの前方で遮蔽部４０を湾曲させるスペースをより広く確保することが可能となる。
【００３９】
また、本実施例では、図１５，１７に示すように、凹凸パネル１０ａと平板パネル１０ｂの上縁と下縁の間に、ランプユニット３２ａ，３２ｂの導光レンズ３５ａ，３５ｂが介装されており、ランプユニット３２ａ，３２ｂが導光レンズ３５ａ，３５ｂを発光させた時に、導光レンズ３５ａ，３５ｂの光が、凹凸パネル１０ａと平板パネル１０ｂの隙間４８の上下から、隙間４８の内部へ照射されることとなる。かかる構成によれば、凹凸パネル１０ａと平板パネル１０ｂの隙間４８の内部に照射された照射光が、遮蔽部４０の裏側で反射・散乱することで、遊技者に対して、遮蔽部４０の湾曲形状を強調して視覚効果を高めることが可能となる。
【００４０】
また、本実施例では、凹凸パネル１０ａの遮蔽部４０は、中央表示器８ａの表示面１４ａの左右両側部が手前側に迫り出すようにアーチ状に湾曲している。かかる構成にあっては、図１８，１９に示すように、かかる構成にあっては、中央表示領域１６ａに対して、両側の側方表示領域は斜め前方に傾斜することとなるが、中央表示領域１６ａの正面側は、遮蔽部４０が中央で凹んでいる分だけ、左右両側が前方に迫り出しているため、中央表示領域１６ａと側方表示領域１６ｂが両者の境界部分でなす角度（図１９中のβ）は、中央表示器８ａと側方表示器８ｂの表示面１４ａ，１４ｂのなす角度（図１８中のα）よりも１８０°に近くなり、表示領域１６ａ，１６ｂの境界部分の屈曲が目立ち難くなる。このため、かかる構成によれば、凹凸パネル１０ａによって中央表示領域１６ａと側方表示領域１６ｂの一体性を高めて、複数の表示領域に亘って表示する演出画像の臨場感を向上させることが可能となる。
【００４１】
以上に本発明の実施例を説明したが、本発明の遊技機は、上記実施例の形態に限らず本発明の要旨を逸脱しない範囲内において種々変更を加えることができる。例えば、上記実施例は、本発明をスロットマシンに適用したものであるが、本発明はパチンコ機等の遊技機にも適用可能である。
【００４２】
また、本発明に係る第１の表示器は、液晶表示器に限られず、有機ＥＬや無機ＥＬでもよいし、プロジェクタとスクリーンの組合せであってもよい。また、本実施例では、本発明に係る第１の表示器（中央表示器８ａ）がスロットマシン１の上部に配設されているが、第１の表示器の配設位置は適宜変更可能である。
【００４３】
また、上記実施例では、凹凸パネル１０ａ及び平板パネル１０ｂは無色透明なパネルであるが、本発明に係る第１の透明パネル及び第２の透明パネルは、着色透明であってもよい。また、本発明に係る第１の透明パネル及び第２の透明パネルは、表示面を覆う部分が透明であればよく、外周部は透明でなくても構わない。
【００４４】
また、上記実施例では、凹凸パネル１０ａの遮蔽部４０の全体が表示面１４ａに向けて膨出する膨出部を構成しているが、本発明に係る膨出部は、主表示領域を覆う部分全体に形成されていなくてもよい。また、上記実施例では、遮蔽部４０が、水平断面が表示面１４ａに向けてアーチ状に膨出する湾曲形状をなしているが、本発明に係る膨出部は、垂直断面がアーチ状の湾曲形状でもよいし、表示面１４ａに向けてドーム状に膨出する形状であってもよい。
【００４５】
また、上記実施例では、常態において、遮蔽部（膨出部）４０の頂部４４と平板パネル１０ｂが当接せず、わずかな隙間が存在しているが、遮蔽部４０の頂部４４を側壁部４１や鍔部４３の背面と面一にして、常態において平板パネル１０ｂと当接させるようにしてもよい。
【符号の説明】
【００４６】
１  スロットマシン（遊技機）
３  前扉
８ａ  中央表示器（第１の表示器）
８ｂ  側方表示器（第２、第３の表示器）
１０ａ  凹凸パネル（第１の透明パネル）
１０ｂ  平板パネル（第２の透明パネル）
１４ａ．１４ｂ  表示面
１５  上部扉ユニット
１６ａ  中央表示領域（主表示領域）
１６ｂ  側方表示領域（副表示領域）
１７  固定板部
１８  回動板部
１９  液晶表示ユニット
２７  上部装飾枠（枠体）
２８  開口部
３２ａ，３２ｂ  ランプユニット（照明装置）
４０  遮蔽部（膨出部）
Ｐ  定常位置
【図１】
2020025737.tif 000003
【図２】
2020025737.tif 000004
【図３】
2020025737.tif 000005
【図４】
2020025737.tif 000006
【図５】
2020025737.tif 000007
【図６】
2020025737.tif 000008
【図７】
2020025737.tif 000009
【図８】
2020025737.tif 000010
【図９】
2020025737.tif 000011
【図１０】
2020025737.tif 000012
【図１１】
2020025737.tif 000013
【図１２】
2020025737.tif 000014
【図１３】
2020025737.tif 000015
【図１４】
2020025737.tif 000016
【図１５】
2020025737.tif 000017
【図１６】
2020025737.tif 000018
【図１７】
2020025737.tif 000019
【図１８】
2020025737.tif 000020
【図１９】
2020025737.tif 000021